(57)【要約】【課題】立体感の強調を容易に行うことが可能な画像処理装置、画像供給装置、画像表示装置、画像処理方法、及びプログラムを提供する。【解決手段】輪郭抽出部３１は、入力画像中に含まれる輪郭線を抽出し、輪郭線で構成される輪郭画像を生成する。Ｔ字検出部３２は、生成された輪郭画像から、輪郭線がＴ字状に交わる部位（Ｔ字部）を検出する。Ｔ字部は、第１の輪郭線と第２の輪郭線とを含んだ部位であり、第２の輪郭線は、一端が第１の輪郭線に接し、他端が第１の輪郭線から遠ざかる方向に延出する。画質制御部３３は、第１の輪郭線を境界にして、第２の輪郭線が延出する側とは反対側の第１の領域と、第２の輪郭線が延出する側の第２の領域とを設定する。そして、調整処理部３４に、第１の領域の輝度を高くするとともに、第２の領域の輝度を低くするような画質調整処理を行わせる。【選択図】図２
2012042709.tif 000002
【特許請求の範囲】
【請求項１】
画像に含まれる輪郭線を抽出する輪郭抽出部と、
前記輪郭抽出部が抽出した前記輪郭線の中から、前記輪郭線同士がＴ字状に交わるＴ字部を検出するＴ字検出部と、
前記Ｔ字部に、前記画像の立体感を強調させるための画質調整処理を施す調整処理部と、
を備えたことを特徴とする画像処理装置。
【請求項２】
請求項１に記載の画像処理装置であって、
前記Ｔ字部は、第１の輪郭線と、前記第１の輪郭線に一端が接して前記第１の輪郭線から遠ざかる方向に他端が延出する第２の輪郭線とを含んでおり、
前記調整処理部は、前記第１の輪郭線を境界にして、前記第２の輪郭線が延出する側とは反対側の第１の領域と、前記第２の輪郭線が延出する側の第２の領域とで異なる画質調整処理を施すことにより、前記画像の立体感を強調させることを特徴とする画像処理装置。
【請求項３】
請求項２に記載の画像処理装置であって、
前記調整処理部は、前記第１の領域の輝度を高くする処理、及び前記第２の領域の輝度を低くする処理の少なくとも一方を施すことを特徴とする画像処理装置。
【請求項４】
請求項２に記載の画像処理装置であって、
前記調整処理部は、前記第１の領域のシャープネスを高くする処理、及び前記第２の領域のシャープネスを低くする処理の少なくとも一方を施すことを特徴とする画像処理装置。
【請求項５】
請求項２に記載の画像処理装置であって、
前記調整処理部は、前記第１の領域の彩度を高くする処理、及び前記第２の領域の彩度を低くする処理の少なくとも一方を施すことを特徴とする画像処理装置。
【請求項６】
請求項１〜５のいずれか一項に記載の画像処理装置と、
前記画像処理装置で前記画質調整処理が施された画像の画像情報を外部に出力する画像情報出力部と、
を備えたことを特徴とする画像供給装置。
【請求項７】
請求項１〜５のいずれか一項に記載の画像処理装置と、
前記画像処理装置で前記画質調整処理が施された画像を表示する表示部と、
を備えたことを特徴とする画像表示装置。
【請求項８】
画像に含まれる輪郭線を抽出する輪郭抽出ステップと、
前記輪郭抽出ステップで抽出した前記輪郭線の中から、前記輪郭線同士がＴ字状に交わるＴ字部を検出するＴ字検出ステップと、
前記Ｔ字部に、前記画像の立体感を強調させるための画質調整処理を施す画質調整ステップと、
を備えたことを特徴とする画像処理方法。
【請求項９】
コンピューターに、
画像に含まれる輪郭線を抽出する輪郭抽出ステップと、
前記輪郭抽出ステップで抽出した前記輪郭線の中から、前記輪郭線同士がＴ字状に交わるＴ字部を検出するＴ字検出ステップと、
前記Ｔ字部に、前記画像の立体感を強調させるための画質調整処理を施す画質調整ステップと、
を実行させるためのプログラム。
【発明の詳細な説明】
【技術分野】
【０００１】
本発明は、画像処理装置、画像供給装置、画像表示装置、画像処理方法、及びプログラムに関する。
【背景技術】
【０００２】
画像表示装置等によって表示される２次元画像の立体感（遠近感、奥行き感）を強調する技術が種々提案されている（例えば、特許文献１、２参照）。特許文献１に記載の技術では、画像の輪郭線を抽出して、強い輪郭線部分はより強調し、弱い輪郭線部分や輪郭線の無い部分は入力信号を平均化することで、物体と周囲の背景との差を視覚的に大きくして、立体感を強調している。また、特許文献２に記載の技術では、画像を構成する画素毎、或いは複数の画素からなるブロック毎に奥行きを表す奥行きデータが入力され、この奥行きデータに基づいて輪郭補正、ぼけ補正、及び彩度補正を行うようになっている。
【先行技術文献】
【特許文献】
【０００３】
【特許文献１】特開２００４−１５９１４８号公報
【特許文献２】特開２００８−３３８９７号公報
【発明の概要】
【発明が解決しようとする課題】
【０００４】
しかしながら、特許文献１に記載の技術では、画像の全域が輪郭強調処理又は平均化処理の対象となるため、処理が重くなりやすいという問題を有している。また、特許文献２に記載の技術では、画像データとともに奥行きデータも用意しなければならないため、利用が容易ではないという問題を有している。このため、立体感の強調を容易に行うことが可能な技術が望まれている。
【課題を解決するための手段】
【０００５】
本発明は、上述の課題の少なくとも一部を解決するためになされたものであり、以下の形態又は適用例として実現することが可能である。
【０００６】
［適用例１］本適用例に係る画像処理装置は、画像に含まれる輪郭線を抽出する輪郭抽出部と、前記輪郭抽出部が抽出した前記輪郭線の中から、前記輪郭線同士がＴ字状に交わるＴ字部を検出するＴ字検出部と、前記Ｔ字部に、前記画像の立体感を強調させるための画質調整処理を施す調整処理部と、を備えたことを特徴とする。
【０００７】
この画像処理装置によれば、輪郭抽出部が、画像に含まれる輪郭線を抽出し、Ｔ字検出部が、輪郭線同士がＴ字状に交わるＴ字部を検出し、調整処理部が、画像の立体感を強調させる画質調整処理をＴ字部に施す。つまり、画質調整処理が局所的に施されることになるため、処理に伴う負荷を軽減することが可能となり、立体感の強調を容易に行うことが可能となる。
【０００８】
［適用例２］上記適用例に係る画像処理装置において、前記Ｔ字部は、第１の輪郭線と、前記第１の輪郭線に一端が接して前記第１の輪郭線から遠ざかる方向に他端が延出する第２の輪郭線とを含んでおり、前記調整処理部は、前記第１の輪郭線を境界にして、前記第２の輪郭線が延出する側とは反対側の第１の領域と、前記第２の輪郭線が延出する側の第２の領域とで異なる画質調整処理を施すことにより、前記画像の立体感を強調させることが望ましい。
【０００９】
この画像処理装置によれば、第１の領域と第２の領域とで異なる画質調整処理を施している。通常、輪郭線がＴ字状に交わる部位（Ｔ字部）では、第１の領域が第２の領域よりも手前側であることが多いため、第１の領域には、手前側に適した画質調整処理を施し、第２の領域には、奥側に適した画質調整処理を施すことにより、立体感を強調させることが可能となる。
【００１０】
［適用例３］上記適用例に係る画像処理装置において、前記調整処理部は、前記第１の領域の輝度を高くする処理、及び前記第２の領域の輝度を低くする処理の少なくとも一方を施すようにしてもよい。
【００１１】
［適用例４］上記適用例に係る画像処理装置において、前記調整処理部は、前記第１の領域のシャープネスを高くする処理、及び前記第２の領域のシャープネスを低くする処理の少なくとも一方を施すようにしてもよい。
【００１２】
［適用例５］上記適用例に係る画像処理装置において、前記調整処理部は、前記第１の領域の彩度を高くする処理、及び前記第２の領域の彩度を低くする処理の少なくとも一方を施すようにしてもよい。
【００１３】
［適用例６］本適用例に係る画像供給装置は、上記適用例に係る画像処理装置と、前記画像処理装置で前記画質調整処理が施された画像の画像情報を外部に出力する画像情報出力部と、を備えたことを特徴とする。
【００１４】
この画像供給装置によれば、上記適用例に掛かる画像処理装置と同様の効果を得ることができる。
【００１５】
［適用例７］本適用例に係る画像表示装置は、上記適用例に係る画像処理装置と、前記画像処理装置で前記画質調整処理が施された画像を表示する表示部と、を備えたことを特徴とする。
【００１６】
この画像表示装置によれば、上記適用例に掛かる画像処理装置と同様の効果を得ることができる。
【００１７】
［適用例８］本適用例に係る画像処理方法は、画像に含まれる輪郭線を抽出する輪郭抽出ステップと、前記輪郭抽出ステップで抽出した前記輪郭線の中から、前記輪郭線同士がＴ字状に交わるＴ字部を検出するＴ字検出ステップと、前記Ｔ字部に、前記画像の立体感を強調させるための画質調整処理を施す画質調整ステップと、を備えたことを特徴とする。
【００１８】
この画像処理方法によれば、輪郭抽出ステップで、画像に含まれる輪郭線を抽出し、Ｔ字検出ステップで、輪郭線同士がＴ字状に交わるＴ字部を検出し、画質調整ステップで、画像の立体感を強調させる画質調整処理をＴ字部に施す。つまり、画質調整処理が局所的に施されることになるため、処理に伴う負荷を軽減することが可能となり、立体感の強調を容易に行うことが可能となる。
【００１９】
［適用例９］本適用例に係るプログラムは、コンピューターに、画像に含まれる輪郭線を抽出する輪郭抽出ステップと、前記輪郭抽出ステップで抽出した前記輪郭線の中から、前記輪郭線同士がＴ字状に交わるＴ字部を検出するＴ字検出ステップと、前記Ｔ字部に、前記画像の立体感を強調させるための画質調整処理を施す画質調整ステップと、を実行させる。
【００２０】
このプログラムによれば、輪郭抽出ステップで、画像に含まれる輪郭線を抽出し、Ｔ字検出ステップで、輪郭線同士がＴ字状に交わるＴ字部を検出し、画質調整ステップで、画像の立体感を強調させる画質調整処理をＴ字部に施す。つまり、画質調整処理が局所的に施されることになるため、処理に伴う負荷を軽減することが可能となり、立体感の強調を容易に行うことが可能となる。
【図面の簡単な説明】
【００２１】
【図１】プロジェクターの概略構成を示すブロック図。
【図２】画質調整部の機能を説明するための機能ブロック図。
【図３】画質調整の対象となるＴ字部を示す図であり、（ａ）は、第１の輪郭線と第２の輪郭線が略直角に交わる場合の図、（ｂ）、（ｃ）は、第１の輪郭線と第２の輪郭線が斜めに交わる場合の図、（ｄ）は、第１の領域及び第２の領域を説明するための図。
【図４】画質調整部による画質調整処理を説明するためのフローチャート。
【図５】画質調整処理を説明するための説明図であり、輪郭画像を示す図。
【図６】コンピューターの概略構成を示すブロック図。
【図７】画質調整プログラムに従って動作する際の制御装置の機能ブロック図。
【発明を実施するための形態】
【００２２】
（第１実施形態）
以下、第１実施形態の画像処理装置について、図面を参照して説明する。
本実施形態の画像処理装置は、画像表示装置としてのプロジェクターの内部に搭載されている。プロジェクターは、外部の画像供給装置から入力される画像情報に基づく画像（以降、「入力画像」と呼ぶ。）をスクリーンや壁面等に投写して表示する。
【００２３】
図１は、プロジェクターの概略構成を示すブロック図である。
図１に示すように、プロジェクター１は、画像投写部１０、制御部２０、記憶部２１、入力操作部２２、画像情報入力部２３、画像情報変換部２４、画像処理装置としての画質調整部２５を備えている。
【００２４】
画像投写部１０は、光源装置１１、光変調装置としての液晶ライトバルブ１２、投写光学系としての投写レンズ１３、液晶駆動部１４等で構成されている。画像投写部１０は、表示部に相当するものであり、光源装置１１から射出された光を液晶ライトバルブ１２で変調して画像（画像光）を形成し、この画像を投写レンズ１３から拡大投写して、外部のスクリーンＳＣ等に表示する。
【００２５】
光源装置１１は、超高圧水銀ランプやメタルハライドランプ等からなる放電型の光源ランプ１１ａと、光源ランプ１１ａが放射した光を液晶ライトバルブ１２側に反射するリフレクター１１ｂとを含んで構成されている。
【００２６】
液晶ライトバルブ１２は、一対の透明基板間に液晶が封入された透過型の液晶パネル等によって構成される。液晶ライトバルブ１２には、マトリクス状に配列された複数の画素からなる画素領域が形成されており、液晶に対して画素毎に駆動電圧を印加可能になっている。そして、液晶駆動部１４の駆動により、入力される画像情報に応じた駆動電圧が各画素に印加されると、各画素は、画像情報に応じた光透過率に設定される。このため、光源装置１１から射出された光は、この液晶ライトバルブ１２を透過することによって変調され、画像情報に応じた画像光が形成される。形成された画像光は、投写レンズ１３から拡大投写される。
【００２７】
制御部２０は、ＣＰＵ（Central Processing Unit）や、各種データ等の一時記憶に用いられるＲＡＭ（Random Access Memory）等（いずれも図示せず）を備え、記憶部２１に記憶されている制御プログラムに従って動作することによりプロジェクター１の動作を統括制御する。つまり、制御部２０は、記憶部２１とともにコンピューターとして機能する。
【００２８】
記憶部２１は、マスクＲＯＭ（Read Only Memory）や、フラッシュメモリー、ＦｅＲＡＭ（Ferroelectric RAM：強誘電体メモリー）等の不揮発性のメモリーにより構成されている。記憶部２１には、プロジェクター１の動作を制御するための制御プログラムや、プロジェクター１の動作条件等を規定する各種設定データ等が記憶されている。
【００２９】
入力操作部２２は、ユーザーの入力操作を受け付けるものであり、ユーザーがプロジェクター１に対して各種指示を行うための複数の操作キーを備えている。入力操作部２２が備える操作キーとしては、電源のオンとオフとを切り替えるための電源キー、各種設定用のメニュー画像を表示させるメニューキー等がある。ユーザーが入力操作部２２の各種操作キーを操作すると、入力操作部２２は、この入力操作を受け付けて、ユーザーの操作内容に応じた操作信号を制御部２０に出力する。なお、入力操作部２２として、遠隔操作が可能なリモコン（図示せず）を用いた構成としてもよい。この場合、リモコンは、ユーザーの操作内容に応じた赤外線の操作信号を発信し、図示しないリモコン信号受信部がこれを受信して制御部２０に伝達する。
【００３０】
画像情報入力部２３には、コンピューターや各種映像再生装置等、外部の画像供給装置Ｃから画像情報が入力される。画像情報入力部２３は、入力された画像情報を画像情報変換部２４に出力する。
【００３１】
画像情報変換部２４は、制御部２０の指示に基づいて、画像情報入力部２３から入力される画像情報を、液晶ライトバルブ１２の各画素の階調を表す画像情報に変換する。ここで、変換された画像情報は、液晶ライトバルブ１２のすべての画素に対応する複数の画素値によって構成されている。画素値とは、対応する画素の光透過率を定めるものであり、この画素値によって、各画素から射出される光の輝度が規定される。画像情報変換部２４で変換された画像情報は、画質調整部２５に出力される。
【００３２】
図２は、画質調整部２５の機能を説明するための機能ブロック図であり、図３（ａ）〜（ｄ）は、画質調整の対象となるＴ字部を示す図である。
図２に示すように、画質調整部２５は、画像の立体感を強調するために、画像の一部に画質調整処理を施すものであり、輪郭抽出部３１、Ｔ字検出部３２、画質制御部３３、調整処理部３４を備えている。なお、画質調整部２５が有するこれらの機能は、ＣＰＵが制御プログラムに従って動作することによって実現してもよいし、専用のハードウェアで実現してもよい。
【００３３】
輪郭抽出部３１は、入力された画像情報に対して、ラプラシアンフィルター等を用いたフィルター処理を施す。そして、入力画像中に含まれる輪郭線を抽出し、輪郭線で構成される輪郭画像を生成する。
【００３４】
Ｔ字検出部３２は、輪郭抽出部３１が生成した輪郭画像から、画質調整の対象とすべき部位として、輪郭線がＴ字状に交わる部位（Ｔ字部）を検出する。
【００３５】
図３（ａ）に示すように、Ｔ字部４０は、第１の輪郭線４１と、第２の輪郭線４２とを含んだ部位であり、第２の輪郭線４２は、一端が第１の輪郭線４１に接し、他端が第１の輪郭線４１から遠ざかる方向に延出する。
【００３６】
Ｔ字部４０の検出には、例えば、Ｔ字部４０の画像パターンをテンプレート画像とするテンプレートマッチングの技術を用いることができる。なお、様々な向きのＴ字部４０を検出するためには、Ｔ字の向きが異なる複数のテンプレート画像を用いる必要がある。また、Ｔ字部４０は、第１の輪郭線４１と第２の輪郭線４２とが略垂直に交わる態様（図３（ａ）参照）に限定されず、図３（ｂ）、（ｃ）に示すように、第１の輪郭線４１と第２の輪郭線４２とが斜めに交わる態様もＴ字部４０に含まれる。
【００３７】
画質制御部３３は、制御部２０の指示に基づいて、検出したＴ字部４０に画質調整処理を施すための制御を行う。具体的には、図３（ｄ）に示すように、画質制御部３３は、第１の輪郭線４１を境界にして、第２の輪郭線４２が延出する側とは反対側の所定の範囲内に第１の領域４３を設定し、第２の輪郭線４２が延出する側の所定の範囲内に第２の領域４４を設定する。そして、調整処理部３４に、第１の領域４３の輝度を高く（明るく）するとともに、第２の領域４４の輝度を低く（暗く）するような画質調整処理（輝度調整処理）を行わせる。なお、輝度を調整する領域（第１の領域４３及び第２の領域４４）と調整しない領域（第１の領域４３及び第２の領域４４の外側の領域）との境界が明瞭になって不自然にならないように、第１の輪郭線４１と第２の輪郭線４２の交点から遠ざかるに従って輝度の調整量（変化量）を小さくすること、言い換えれば、第１の輪郭線４１と第２の輪郭線４２の交点に近づくに従って輝度の調整量（変化量）を大きくすることが望ましい。
【００３８】
調整処理部３４は、画質制御部３３の指示に基づき、画像情報変換部２４から入力される画像情報に対して、上記の画質調整処理を実施する。そして、調整後の画像情報を液晶駆動部１４に出力する。
【００３９】
図１に戻って、液晶駆動部１４が、画質調整部２５から入力される画像情報に従って液晶ライトバルブ１２を駆動すると、液晶ライトバルブ１２は、画像情報に応じた画像を形成し、この画像が投写レンズ１３から投写される。
【００４０】
図４は、画質調整部２５による画質調整処理を説明するためのフローチャートである。また、図５は、画質調整処理を説明するための説明図であり、輪郭画像を示す図である。
【００４１】
図４に示すように、ステップＳ１０１では、輪郭抽出部３１が、入力画像に含まれる輪郭線を抽出し、輪郭線で構成される輪郭画像を生成する。例えば、互いに重なり合った２つの円状の物体が入力画像に含まれている場合には、図５に示すように、２つの物体の輪郭線Ｌ１，Ｌ２を含む輪郭画像Ｅが生成される。
【００４２】
ステップＳ１０２では、Ｔ字検出部３２が、輪郭抽出部３１が生成した輪郭画像からＴ字部４０を検出する。例えば、図５に示した輪郭画像Ｅの場合には、輪郭線Ｌ１，Ｌ２が交わる２ヶ所でＴ字部４０が検出される。
【００４３】
ステップＳ１０３では、画質制御部３３が、検出されたＴ字部４０のそれぞれについて第１の領域４３と第２の領域４４を設定し（図３（ｄ）参照）、第１の領域４３を明るく、第２の領域４４を暗くするよう調整処理部３４に指示をする。
【００４４】
ステップＳ１０４では、調整処理部３４が、画質制御部３３の指示に基づき、画像情報変換部２４から入力される画像情報に対して上記の画質調整処理を実施し、フローを終了する。この結果、画質調整が施された画像が画像投写部１０から投写される。
【００４５】
図５に示すように、輪郭画像Ｅにおいて、Ｔ字部４０は、２つ以上の物体が重なり合った位置に形成されやすく、多くの場合には、第１の領域４３が第２の領域４４の手前側、即ち第２の領域４４が第１の領域４３の奥側となる。このため、本実施形態の画質調整部２５のように、第１の領域４３を明るくし、第２の領域４４を暗くすることにより、物体間の奥行き方向の位置関係が強調され、入力画像の立体感が強調される。
【００４６】
以上説明したように、本実施形態のプロジェクター１によれば、以下の効果を得ることができる。
【００４７】
本実施形態のプロジェクター１によれば、輪郭抽出部３１が入力画像に含まれる輪郭線を抽出し、Ｔ字検出部３２が、輪郭線同士がＴ字状に交わるＴ字部４０を検出し、調整処理部３４が、このＴ字部４０に、画像の立体感を強調させる画質調整処理を施す。つまり、画質調整処理が局所的に施されるため、処理に伴う負荷を軽減することが可能となり、立体感の強調を容易に行うことが可能となる。
【００４８】
（第２実施形態）
以下、第２実施形態の画像処理装置について、図面を参照して説明する。
本実施形態の画像処理装置は、画像供給装置としてのコンピューターの内部に搭載されている。コンピューターは、外部の画像表示装置に画像情報を供給し、画像情報に基づく画像を画像表示装置に表示させる。
【００４９】
図６は、コンピューター２の概略構成を示すブロック図である。
図６に示すように、コンピューター２は、ＣＰＵやＲＡＭ等からなる制御装置５０、内蔵するハードディスクドライブ等からなる記憶装置５１、液晶ディスプレイ等の表示装置５２、キーボードやマウス等の入力装置５３、ＤＶＤ等の外部の記憶媒体との間でデータの授受を行う外部記憶装置５４、ネットワーク等を介して外部の機器とデータの授受を行う通信装置５５、外部の画像表示装置Ｄに画像情報を出力する画像情報出力部５６を備えている。コンピューター２としては、例えば、パーソナルコンピューターを用いることができる。ここで、ノート型のパーソナルコンピューターを用いる場合には、コンピューター２は、制御装置５０、記憶装置５１、表示装置５２、入力装置５３、外部記憶装置５４、通信装置５５を一体的に備えて構成され得る。また、デスクトップ型のパーソナルコンピューターのように、表示装置５２、入力装置５３、外部記憶装置５４、通信装置５５の全部又は一部が外付けで接続される構成のコンピューターを用いてもよいし、携帯型の情報端末を用いてもよい。
【００５０】
制御装置５０は、記憶装置５１に記憶されているＯＳ（Operating System）やアプリケーションプログラム等に従って動作し、入力装置５３を用いてなされるユーザーの指示に応じて様々な処理を行い、処理結果等を表示装置５２や外部の画像表示装置Ｄに表示させる。また、本実施形態の記憶装置５１には、画像の一部に画質調整処理を施して画像の立体感を強調させるアプリケーションプログラム（画質調整プログラム）がインストールされており、制御装置５０は、この画質調整プログラムに従って動作することにより、画像の立体感を強調させるための画像処理装置として機能する。
【００５１】
図７は、画像処理装置、即ち画質調整プログラムに従って動作する際の制御装置５０の機能ブロック図である。
図７に示すように、制御装置５０は、第１実施形態の画質調整部２５と同様の構成を有しており、輪郭抽出部６１、Ｔ字検出部６２、画質制御部６３、調整処理部６４を備えている。
【００５２】
輪郭抽出部６１には、記憶装置５１、外部記憶装置５４、或いは通信装置５５から画像情報が入力される。輪郭抽出部６１は、入力された画像情報に対して、ラプラシアンフィルター等を用いたフィルター処理を施す。そして、入力された画像情報に基づく画像（入力画像）中に含まれる輪郭線を抽出し、輪郭線で構成される輪郭画像を生成する。
【００５３】
Ｔ字検出部６２は、輪郭抽出部６１が生成した輪郭画像から、画質調整の対象とすべきＴ字部４０を検出する。
【００５４】
画質制御部６３は、検出したＴ字部４０に画質調整処理を施すための制御を行う。具体的には、画質制御部６３は、第１実施形態と同様、第１の輪郭線４１を境界にして、第２の輪郭線４２が延出する側とは反対側の第１の領域４３と、第２の輪郭線４２が延出する側の第２の領域４４とを設定する。そして、調整処理部６４に、第１の領域４３の輝度を高く（明るく）するとともに、第２の領域４４の輝度を低く（暗く）するような画質調整処理（輝度調整処理）を行わせる。
【００５５】
調整処理部６４は、画質制御部６３の指示に基づき、制御装置５０に入力される画像情報に対して、上記の画質調整処理を実施する。そして、調整後の画像情報を、画像情報出力部５６を介して外部の画像表示装置Ｄに出力する。画像表示装置Ｄがこの画像情報に基づく画像を表示すると、画像は、立体感が強調されて表示される。なお、この制御装置５０の動作（フローチャート）は、第１実施形態における画質調整部２５の動作（図４参照）と同等であるため、その説明は省略する。また、画質調整を施した画像情報を画像表示装置Ｄに逐次出力するようにしてもよいが、記憶装置５１又は外部記憶装置５４に一旦記憶しておくようにして、一連の画像情報に対する画質調整処理がすべて完了した後で、画像表示装置Ｄに出力するようにしてもよい。
【００５６】
以上説明したように、本実施形態のコンピューター２によれば、第１実施形態の効果と同様の効果を得ることができる。
【００５７】
（変形例）
また、上記実施形態は、以下のように変更してもよい。
【００５８】
上記第１実施形態及び第２実施形態では、調整処理部３４，６４は、第１の領域４３の輝度を高くして、第２の領域４４の輝度を低くしているが、調整処理部３４，６４による画質の調整は、輝度の調整に限定されない。例えば、第１の領域４３の彩度を高く（鮮やかに）して、第２の領域４４の彩度を低くするようにしても、画像の立体感を強調することができる。また、第１の領域４３（第１の輪郭線４１を含む）のシャープネス（輪郭強調度）を高く（鮮鋭に）して、第２の領域４４（第２の輪郭線４２を含む）のシャープネスを低くするようにしてもよい。つまり、第１の領域４３には、手前側に適した画質調整処理を施し、第２の領域４４には、奥側に適した画質調整処理を施すことにより、画像の立体感を強調することができる。
また、画質調整処理は、第１の領域４３と第２の領域４４の双方に施す必要はなく、第１の領域４３の輝度（彩度、シャープネス）を高くする処理と、第２の領域４４の輝度（彩度、シャープネス）を低くする処理のいずれか一方のみを行うようにしてもよい。
【００５９】
上記第１実施形態及び第２実施形態では、輪郭画像からＴ字部４０を検出するために、テンプレートマッチングの技術を利用しているが、これに限定されず、他の技術を利用するようにしてもよい。
【００６０】
上記第１実施形態において、プロジェクター１は、３つの液晶ライトバルブ１２を利用してカラー画像を形成する３板式のプロジェクターであってもよい。
【００６１】
上記第１実施形態では、光変調装置として、透過型の液晶ライトバルブ１２を用いているが、反射型の液晶ライトバルブ等、反射型の光変調装置を用いることも可能である。また、入射した光の射出方向を、画素としてのマイクロミラー毎に制御することにより、光源から射出した光を変調する微小ミラーアレイデバイス等を用いることもできる。
【００６２】
上記第１実施形態では、光源装置１１は、放電型の光源ランプ１１ａを備えて構成されているが、ＬＥＤ（Light Emitting Diode：発光ダイオード）光源等の固体光源や、その他の光源を用いることもできる。
【００６３】
上記第１実施形態では、画像処理装置としての画質調整部２５がプロジェクター１に搭載され、上記第２実施形態では、コンピューター２に搭載されている制御装置５０が画像処理装置として機能するようになっているが、これらの態様に限定されない。例えば、画像処理装置（画質調整部２５、制御装置５０）を、プロジェクター１以外の画像表示装置（例えば、液晶ディスプレイ、プラズマディスプレイ、有機ＥＬ（Electro Luminescence）ディスプレイ等）に搭載するようにしてもよいし、コンピューター以外の画像供給装置（例えば、各種映像再生装置等）に搭載するようにしてもよい。また、画質調整処理（輝度調整処理）を施した画像情報を、直接画像表示装置に出力せずに、記憶媒体に記憶させる態様の装置に適用してもよい。この場合には、記憶媒体に記憶された画像情報を映像再生装置で再生して画像表示装置に出力するようにすれば、立体感が強調された画像が画像表示装置によって表示される。
【符号の説明】
【００６４】
１…プロジェクター、２…コンピューター、１０…画像投写部、１１…光源装置、１１ａ…光源ランプ、１１ｂ…リフレクター、１２…液晶ライトバルブ、１３…投写レンズ、１４…液晶駆動部、２０…制御部、２１…記憶部、２２…入力操作部、２３…画像情報入力部、２４…画像情報変換部、２５…画質調整部、３１…輪郭抽出部、３２…Ｔ字検出部、３３…画質制御部、３４…調整処理部、４０…Ｔ字部、４１…第１の輪郭線、４２…第２の輪郭線、４３…第１の領域、４４…第２の領域、５０…制御装置、５１…記憶装置、５２…表示装置、５３…入力装置、５４…外部記憶装置、５５…通信装置、５６…画像情報出力部、６１…輪郭抽出部、６２…Ｔ字検出部、６３…画質制御部、６４…調整処理部、Ｃ…画像供給装置、Ｄ…画像表示装置、Ｌ１，Ｌ２…輪郭線、ＳＣ…スクリーン。
【図１】
2012042709.tif 000003
【図２】
2012042709.tif 000004
【図３】
2012042709.tif 000005
【図４】
2012042709.tif 000006
【図５】
2012042709.tif 000007
【図６】
2012042709.tif 000008
【図７】
2012042709.tif 000009